(57)【特許請求の範囲】
【請求項１】
竪樋を抱持する抱持部材と、該抱持部材に連結されるスライド片と、建物の壁などに固着される取付部材とを備え、前記スライド片を前記取付部材に対して結合具を用いて結合し、進退調節可能に取り付けてなる竪樋支持具において、
前記取付部材は、前記スライド片のスライド方向に沿って挿通孔が開設された本体部と、該本体部の両側方に各々延びる延設片とを備えており、
前記スライド片は、挿通孔を開設したスライド本体と、該スライド本体の両側方に延び、スライド方向に直交する方向に配された、ばね性を有したつまみ部とを備えた構成とされ、前記スライド本体の両端に、前記つまみ部が延びた方向に凹んでなるリブ部が形成されており、前記スライド本体を前記取付部材の本体部にあてがって、本体部、スライド片の各挿通孔に前記結合具を挿通させて、前記スライド片を前記取付部材に結合する構成となっており、
前記取付部材の挿通孔、前記スライド片の挿通孔のいずれか一方が長孔に形成されており、
前記スライド片のつまみ部および前記取付部材の延設片の各対向面には、前記取付部材の長手方向の適宜位置で相互に係止される係止部が形成され、前記係止部のいずれもが、前記本体部の長手方向と直交する方向に突出した凸部と、該凸部に隣接する凹部とを有した凹凸部で形成され、対向面間で相互に凹凸嵌合する構成となっていることを特徴とする竪樋支持具。
【発明の詳細な説明】
【技術分野】
【０００１】
本発明は、一般住宅やビルなどの建物の壁面などに沿って配される竪樋支持具に関し、詳しくは、竪樋を抱持する抱持部材が連結されたスライド片を進退調節可能とした竪樋支持具に関する。
【背景技術】
【０００２】
従来、図８に示すように、竪樋を抱持する抱持部材が連結されたスライド片を長孔で進退調節できるようにした竪樋支持具が用いられている。
【０００３】
この竪樋支持具１００は、竪樋Ｔを抱持する開閉式の抱持部材１０１と、その抱持部材１０１に連結されたスライド片１０３と、建物の壁などに固着される取付部材１０２とを備え、スライド片１０３を取付部材１０２に対して進退調節可能に取り付けて、連結ボルト１０５および蝶ナット１０６を用いて結合してなる。なお、図中の１０７はワッシャである。
【０００４】
スライド片１０３には、挿通孔１０３ａが開設されており、取付部材１０２の本体部１０２ａには、挿通孔１０３ａと重合する長孔１０２ｂが開設されている。
【０００５】
重合された挿通孔１０３ａと長孔１０２ｂとには、上方から連結ボルト１０５が貫通して、その下端において蝶ナット１０６と螺合している。
【０００６】
このような竪樋支持具１００は、建物の壁などに取付部材１０２の取付部１０２ｃを釘などの固定具で固定し、その長孔１０２ｂとスライド片１０３の挿通孔１０３ａとを重合させるとともに、抱持部材１０１が所望の位置となるようにして進退調節させる構成となっている。
【０００７】
そして、抱持部材１０１が所望の位置となったときに、蝶ナット１０６を締め付けることで、取付部材１０２とスライド片１０３とを連結させて固定したうえで、抱持部材１０１に竪樋Ｔを取り付けることができる。
【０００８】
また、特許文献１には、蝶ばねを用いてスライド片の固定位置を調節できる竪樋支持具が記載されている。
【０００９】
この文献に記載された竪樋支持具は、長孔を有さず、蝶ばねのつまみ部にスライド片を挿通するための貫通口を設けて、その貫通口をスライド片がスライドできるようになっている。すなわち、蝶ばねのつまみ部をつまみ操作して弾性変形させたときに、スライド片が２つの貫通口をスライドできるようになっており、つまみ部が弾性復帰したときには、貫通口のエッジ部が、スライド片がスライドできないようにスライド片を係止するようになっている。
【００１０】
このように、図８のものも特許文献１に記載のものも、スライド片を前後方向に移動させて所望の位置で固定することができる。
【先行技術文献】
【特許文献】
【００１１】
【特許文献１】特許第３５１３１２１号公報
【発明の概要】
【発明が解決しようとする課題】
【００１２】
しかしながら、図８に示した竪樋支持具１００は、構造、形状は簡易であるが、連結ボルト１０５と蝶ナット１０６の螺合作業を行わなければならず、現場での作業は比較的面倒であるし、作業中に連結ボルト１０５や蝶ナット１０６、ワッシャ１０７を紛失するおそれもある。
【００１３】
また、いったん位置決めされた抱持部材１０１の位置を再度調節するときは、蝶ナット１０６を緩めたうえで再調節をした後に再度、蝶ナット１０６を締め付ける必要があり、手間を要する。
【００１４】
一方、特許文献１に記載の竪樋支持具によれば、連結ボルトや蝶ナットなどの結合具を用いることなく調節作業をきわめて簡易な操作で行うことができるが、スライド片を蝶ばねの弾性力のみで固定する構造であるため、スライド片と取付部材とがしっかりと結合できないおそれがある。
【００１５】
なお、特許文献１では蝶ばねのつまみ部の貫通口の外側に爪を形成し、弾性復帰時に、その爪ををスライド片の凹凸部に係止させる構成も提案されているが、爪は薄肉片であるため早期に破損するおそれがある。
【００１６】
本発明は、このような事情を考慮して提案されたものであり、その目的は、スライド片の進退調節を簡易にでき、かつスライド片の取付部材への固定を強固にできる竪樋支持具を提供することにある。
【課題を解決するための手段】
【００１７】
前記目的を達成するために、請求項１に記載の竪樋支持具は、竪樋を抱持する抱持部材と、該抱持部材に連結されるスライド片と、建物の壁などに固着される取付部材とを備え、前記スライド片を前記取付部材に対して結合具を用いて結合し、進退調節可能に取り付けてなる竪樋支持具において、前記取付部材は、前記スライド片のスライド方向に沿って挿通孔が開設された本体部と、該本体部の両側方に各々延びる延設片とを備えており、前記スライド片は、挿通孔を開設したスライド本体と、該スライド本体の両側方に延び、スライド方向に直交する方向に配された、ばね性を有したつまみ部とを備えた構成とされ、前記スライド本体の両端に、前記つまみ部が延びた方向に凹んでなるリブ部が形成されており、前記スライド本体を前記取付部材の本体部にあてがって、本体部、スライド片の各挿通孔に前記結合具を挿通させて、前記スライド片を前記取付部材に結合する構成となっており、前記取付部材の挿通孔、前記スライド片の挿通孔のいずれか一方が長孔に形成されており、前記スライド片のつまみ部および取付部材の延設片の各対向面には、前記取付部材の長手方向の適宜位置で相互に係止される係止部が形成れ、前記係止部のいずれもが、前記本体部の長手方向と直交する方向に突出した凸部と、該凸部に隣接する凹部とを有した凹凸部で形成され、対向面間で相互に凹凸嵌合する構成となっていることを特徴とする。
【発明の効果】
【００１９】
請求項１に記載の竪樋支持具によれば、スライド片を、取付部材に対してばね性を有したつまみ部の操作でスライド調節できるようにしているので、進退調節を簡易かつ迅速に行える。さらに、スライド片を取付部材にあてがった状態にして、つまみ部および取付部材の延設片の各対向面に設けた係止部同士で係止する固定構造であるため、スライド片を取付部材に対して強固に固定できる。
【００２０】
また、スライド片と取付部材との係止は、凹凸部同士の嵌合によりなされるようになっているため、少なくともいずれか一方がスライド方向に沿って等間隔に複数形成されていれば、一定ピッチで段階的な調節ができ、所望の位置で固定できる。また、複数の凹部を有した凹凸部と、複数の凸部を有した凹凸部とが相互に嵌合する構成にすれば、固定をさらに強化できる。
【図面の簡単な説明】
【００２１】
【図１】本発明の第１の実施形態に係る竪樋支持具の分解斜視図である。
【図２】（ａ）（ｂ）は、本実施形態におけるスライド片の取付部材に対する固定態様の２例を示す模式縦断面図である。
【図３】（ａ）（ｂ）のそれぞれは、固定状態またはスライド状態を示す竪樋支持具の模式拡大縦断面図である。
【図４】蝶ばねの他の形状例を示す斜視図である。
【図５】本発明の第２の実施形態に係る竪樋支持具の分解斜視図である。
【図６】（ａ）（ｂ）は、本実施形態におけるスライド片の取付部材に対する固定態様の２例を示す模式縦断面図である。
【図７】（ａ）（ｂ）のそれぞれは、固定状態またはスライド状態を示す竪樋支持具の模式拡大縦断面図である。
【図８】従来の竪樋支持具の分解斜視図である。
【発明を実施するための形態】
【００２２】
以下に、本発明の第１の実施形態について、添付図面を参照しながら説明する。
【００２３】
図１〜図４は、第１の実施形態に係る竪樋支持具の説明図である。
【００２４】
この竪樋支持具１は、図１に示すように、竪樋４１を抱持する開閉式の抱持部材４０と、その抱持部材４０に連結されたスライド片３０と、建物の壁などに固着される取付部材１０とを備え、スライド片３０を操作して、スライド片３０を取付部材１０に対して進退調節して、所望の位置でリベット２等の結合具を用いて結合できる構成となっている。
【００２５】
抱持部材４０としては、竪樋４１の形状に合わせて種々の形状のものが用いられる。図例ではリング状のものが用いられているが、これには限定されず、角状のものや、竪樋４１の一部だけを抱持する略半円状のものであってもよい。
【００２６】
取付部材１０は、建物の壁などに固着される、ボルト止めするための取付孔１１ａを有した取付部１１と、取付部１１の下端より横方向に延びる本体部１２とを備えて、略Ｌ字状に形成され、本体部１２には長手方向に延びる長孔１３Ａが開設されている。
【００２７】
取付部材１０はさらに、本体部１２の両側方に各々、斜め下方に折曲されて延びる延設片１４、１４を備えている。延設片１４の下端部の内側には、延設片１４、１４同士で相互に向き合うように、長孔１３Ａの長手方向寸法に対応した複数の凸部１５、１５・・・が等間隔に形成されている。これら複数の凸部１５、１５・・・の形成位置は両延設片１４、１４間で合致している。なお、本図例では凸部１５は押圧加工にて形成してあり、そのため延設片１４の外面には凸部１５に対応した凹所が形成されている。この取付部材１０の凸部１５は、取付部材１０が後述するスライド片３０のつまみ部３５に対して相互係止するための係止部を構成する。
【００２８】
スライド片３０は、略Ｌ字状に形成されており、起立状態で用いられる支持具取付部３３には抱持部材４０にリベット４２等で固着するための取付孔３４が形成され、横設状態で使用するスライド本体３１には取付部材１０に連結するための挿通孔３２Ａ（丸孔）が形成されている。
【００２９】
また、スライド片３０のスライド本体３１には、スライド本体３１の両側方に各々延び、スライド方向に直交する方向に配された、ばね性を有したつまみ部３５、３５が延設されている。このつまみ部３５には、図１に示すように開口部３６が形成されている。この開口部３６には、取付部材１０の延設片１４に形成した複数の凸部１５、１５・・・のうちのいずれかが嵌合する５つの凹部３７、３７・・・が櫛歯状に形成され、隣接する凹部３７、３７の各間には４つの仕切り部３５ａ、３５ａ・・・が形成されている。これら５つの凹部３７、３７・・・は、取付部材１０に対して相互係止するための係止部を構成する。
【００３０】
また、スライド片３０は蝶ばね形状のつまみ部３５を一体として形成したものであるため、つまみ部３５として作用させるために、スライド片３０全体が薄板状の板材で製されている。薄板のスライド本体３１には、竪樋４１を支持するための強度を持たせるために、また弱い力でつまみ操作をできるようにするために、本実施形態ではスライド本体３１の両端につまみ部が延びた方向に凹んでなるリブ部３８、３８が設けてある。
【００３１】
また、スライド片３０の他例としては、図４に示すように、スライド片３０のつまみ部３５の強化のために、また、つまみ操作でつまみ部３５が確実に撓むようにするために、仕切り部３５ａを上下につなげて５つの凹部３７、３７・・・（５つの開口部３６、３６・・・）を分離形成した構造としてもよい。
【００３２】
なお、本実施形態の例では、取付部材１０の凸部１５に嵌合する凹部３７が、貫通開口で構成されているが、凸部１５が嵌合できる程度の凹み穴で構成されたものでもよい。少なくとも、スライド片３０のつまみ部３５および取付部材１０の延設片１４の各対向面の凹部３７と凸部１５の嵌合によって、相互に係止する構造であればよい。また、つまみ部３５に凸部を設け、取付部材１０の延設片１４に凹部を設けたものでもよい。
【００３３】
これら取付部材１０、スライド片３０は、図２に示すように連結される。
【００３４】
すなわち、取付部材１０の本体部１２と両延設片１４、１４とにより囲まれた下方空間３にスライド片３０のスライド本体３１とつまみ部３５の上部を挿入し、取付部材１０の長孔１３Ａ、スライド片３０の挿通孔３２Ａを合わせてリベット２を挿通させて、両者を結合する。リベット２の代わりに、結合具としてボルト、ナットを用いてもよい。
【００３５】
こうして、スライド片３０は、取付部材１０に対して長孔１３Ａを介してスライド移動できるように取付部材１０に結合される。
【００３６】
なお、これら２部材を結合する前にスライド片３０に抱持部材４０を連結させておいてもよいし、２部材を結合した後に抱持部材４０を連結させてもよい。また、取付部材１０を壁などに固定させた状態でスライド片３０を結合させてもよいが、現場施工の前に、２部材を結合させておいてもよい。
【００３７】
図２（ａ）（ｂ）は、スライド片３０を取付部材１０に対して固定した状態の２例を示した模式縦断面図である。
【００３８】
図２（ａ）の例は、スライド片３０のつまみ部３５の開口部３６に形成した５つの凹部３７、３７・・・に対して、取付部材１０の延設片１４に形成した凸部１５、１５・・・のうち取付部１１側の３番目から７番目までの５つの凸部１５、１５・・・が嵌合した状態を示したものであり、図２（ｂ）の例は、開口部３６の５つの凹部３７、３７・・・に対して、取付部１１側の５番目から９番目の５つの凸部１５、１５・・・が嵌合した状態を示したものである。
【００３９】
つまり、スライド片３０のつまみ部３５の開口部３６には、最も多い場合には、取付部材１０の取付部１１側からｎ番目から（ｎ＋４）番目までの５つの凸部１５、１５・・・が嵌合する。
【００４０】
本実施形態の図例によれば、取付部材１０の長孔１３Ａの位置と寸法、凸部１５の位置と数、スライド片３０の挿通孔３２Ａの位置、凹部３７の位置と数の関係から、スライド片３０を最も長く突出させる場合には、左側の２つの凸部１５、１５と、右側の２つの凹部３７、３７とが嵌合するようになっている。このような嵌合組み合わせには限らず、少なくとも１組の凸部１５と凹部３７とが嵌合する構成であってもよいが、スライド片３０を強固に固定するために複数組の凸部１５、１５・・・と凹部３７、３７・・・とが嵌合する構成とすることが望ましい。
【００４１】
また、５組の凸部１５、１５・・・と凹部３７、３７・・・とが嵌合した状態では、ｎ−１、ｎ番目の凸部間、ｎ、ｎ＋１番目の凸部間、ｎ＋１、ｎ＋２番目の凸部間、ｎ＋２、ｎ＋３番目の凸部間、ｎ＋３、ｎ＋４番目の凸部間、およびｎ＋４、ｎ＋５番目の凸部間の各凸部間部位１６は、つまみ部３５の壁側（図２における右側）のアーム部３５ｂ、４つの仕切り部３５ａ、３５ａ・・・、竪樋側（図２における左側）のアーム部３５ｂの各々の外面に接触する。
【００４２】
また、本実施形態の例では、凸部１５、１５・・・を有した凹凸部と、凹部３７、３７・・・を有した凹凸部とが相互に凹凸嵌合する構造であるため、取付部材１０とつまみ部３５とのさらに強固な固定を実現することができる。
【００４３】
このように、この竪樋支持具１は、つまみ部３５に形成された凹部３７を取付部材１０の適宜な凸部１５と嵌合させることで、スライド片３０の突出度合いを異ならせることができるようになっている。
【００４４】
このようにスライド片３０を種々の突出度合いにするための進退調節は、図３（ａ）（ｂ）に示すように、つまみ部３５の操作によってなされる。
【００４５】
図３（ａ）は、凸部１５と凹部３７とが嵌合してスライド片３０が固定された状態を示した縦断面図であり、この状態でつまみ部３５、３５をつまんで矢印方向につまみ部３５、３５を弾性変形させると、凸部１５と凹部３７の嵌合が解除され、図３（ｂ）の状態となる。この状態で、つまみ部３５、３５をつまんだままスライド片３０を取付部材１０の長孔１３Ａに沿ってスライド移動させ、所望の位置で手指を離してつまみ部３５、３５を元の状態に復帰させると、凹部３７が凸部１５に嵌合してスライドできない状態となる。
【００４６】
このように、本実施形態に係る竪樋支持具１によれば、つまみ部３５、３５をつまみ操作するだけで、スライド片３０の進退調節を行うことができる。つまみ部３５、３５を片手でワンタッチ操作するだけでスライド調節できる構成であるため、進退調節を簡易かつ迅速に行うことができる。
【００４７】
また、つまみ部３５、３５とスライド本体３１とは一体となっているため、つまみ部３５、３５のスライド操作だけでスライド片３０全体をスライド移動させることができ、つまみ部３５、３５以外の部位に触れることなくスライド調整ができる。
【００４８】
さらに、リベット２に代えてボルト、ナットで結合する場合でも進退調節のためにボルト、ナットを外す必要がなく、操作性はきわめてよい。また、設計によらず、現場で試行錯誤により進退調節する場合にも便利である。
【００４９】
また、スライド片３０を取付部材１０の下方にあてがった状態にして、つまみ部３５および取付部材１０の延設片１４の対向面に設けた係止部同士（凹部３７と凸部１５）で係止する固定構造であるため、スライド片３０は壁などに固定された取付部材１０にしっかりと固定される。
【００５０】
なお、スライド移動をしやすくするために、取付部材１０の本体部１２、スライド片３０の間にわずかな隙間を設けてリベット止めすることが望ましい。このように隙間が空いていても、つまみ部３５、３５をつまんでいない状態では、つまみ部３５、３５が取付部材１０に係止固定されているので、スライド片３０がずれ動くおそれはない。
【００５１】
また本実施形態では、取付部材１０とスライド片３０との係止が凸部１５と凹部３７とによりなされ、その凸部１５がスライド方向に沿って等間隔に複数形成されているため、一定ピッチで段階的な調節ができる。ピッチを小さくすれば微調整も行える。
【００５２】
またさらに、つまみ部３５には９つの凸部１５、１５・・・のうちの５つの凸部１５、１５・・・に対応して５つの凹部３７、３７・・・が設けられているので、５組の凹凸嵌合により強固な固定が望める。
【００５３】
なお、本実施形態の例では、つまみ部３５に５つの凹部３７、３７・・・が形成され、それらに嵌合した５つの凸部１５、１５・・・のうちの外側に配された２つの凸部１５、１５の各外側端がアーム部３５ｂの内側端に接触するように嵌合する構造であるため、開口部３６は仕切り部３５ａを有さない構成であってもよい。
【００５４】
また、２つの隣接する凸部１５、１５で仕切り部３５ａを挟み込む構造であってもよい。さらに、つまみ部３５は、隣接しない２つの凸部１５、１５に対応した凹部を有した構造であってもよい。
【００５５】
ついで、本発明の第２の実施形態について、図５〜図７を参照しながら説明する。本実施形態に係る竪樋支持具１は、取付部材１０に挿通孔１３Ｂ（丸孔）が形成され、スライド片３０に長孔３２Ｂが形成されている点が第１の実施形態と相違する。以下、各部について詳述する。
【００５６】
この竪樋支持具１は、図５に示すように、竪樋４１を抱持する開閉式の抱持部材４０と、その抱持部材４０に連結されたスライド片３０と、建物の壁などに固着される取付部材１０とを備え、スライド片３０を操作して、スライド片３０を取付部材１０に対して進退調節して、所望の位置でリベット２等の結合具を用いて結合できる構成となっている。
【００５７】
抱持部材４０としては、竪樋４１の形状に合わせて種々の形状のものが用いられる。図例ではリング状のものが用いられているが、これには限定されず、角状のものや、竪樋４１の一部だけを抱持する略半円状のものであってもよい。
【００５８】
取付部材１０は、建物の壁などに固着される、ボルト止めするための取付孔１１ａを有した取付部１１と、取付部１１の下端より横方向に延びる本体部１２とを備えて、略Ｌ字状に形成され、本体部１２には挿通孔１３Ｂ（丸孔）が開設されている。
【００５９】
取付部材１０はさらに、本体部１２の両側方に各々、斜め下方に折曲されて延びる延設片１４、１４を備えている。延設片１４の下端部の内側には、延設片１４、１４同士で相互に向き合うように、後述するスライド片３０の長孔３２Ｂの長手方向寸法に対応した複数の凸部１５、１５・・・が等間隔に形成されている。これら複数の凸部１５、１５・・・の形成位置は両延設片１４、１４間で合致している。なお、本図例では凸部１５は押圧加工にて形成してあり、そのため延設片１４の外面には凸部１５に対応した凹所が形成されている。この取付部材１０の凸部１５は、取付部材１０がスライド片３０のつまみ部３５に対して相互係止するための係止部を構成する。
【００６０】
スライド片３０は、略Ｌ字状に形成されており、起立状態で用いられる支持具取付部３３には抱持部材４０にリベット４２等で固着するための取付孔３４が形成され、横設状態で使用するスライド本体３１には取付部材１０に連結するための長孔３２Ｂが形成されている。
【００６１】
また、スライド片３０のスライド本体３１には、スライド本体３１の両側方に延び、スライド方向に直交する方向に配された、ばね性を有したつまみ部３５が形成されている。このつまみ部３５には、図５に示すように開口部３６が形成されている。この開口部３６には、取付部材１０の延設片１４に形成した複数の凸部１５、１５・・・のうちのいずれか５つが嵌合する５つの凹部３７、３７・・・が櫛歯状に形成され、隣接する凹部３７、３７の各間には４つの仕切り部３５ａ、３５ａ・・・が形成されている。これら５つの凹部３７、３７・・・は、取付部材１０に対して相互係止するための係止部を構成する。
【００６２】
また、スライド片３０は蝶ばね形状のつまみ部３５を一体として形成したものであるため、つまみ部３５として作用させるために、スライド片３０全体が薄板状の板材で製されている。薄板のスライド本体３１には、竪樋４１を支持するための強度を持たせるために、また弱い力でつまみ操作をできるようにするために、本実施形態では長孔３２Ｂの両側にリブ部３８、３８が設けてある。
【００６３】
なお、凹部３７は凸部１５が嵌合できる程度の凹み穴で構成されたものでもよい。少なくとも、スライド片３０のつまみ部３５および取付部材１０の延設片１４の各対向面同士の凹部３７と凸部１５の嵌合によって、相互に係止する構造であればよい。また、つまみ部３５に凸部を設け、取付部材１０の延設片１４に凹部を設けたものでもよい。
【００６４】
また、本実施形態では不図示としたが、第１の実施形態のスライド片３０の他例として示した図４と同様に、スライド片３０のつまみ部３５に、仕切り部３５ａを上下につなげて５つの凹部３７、３７・・・（５つの開口部３６、３６・・・）を分離形成したものでもよい（図４参照）。
【００６５】
これら取付部材１０、スライド片３０は、図６に示すように連結される。
【００６６】
すなわち、取付部材１０の本体部１２と両延設片１４、１４とにより囲まれた下方空間３にスライド片３０のスライド本体３１を挿入し、取付部材１０の挿通孔１３Ｂ、スライド片３０の長孔３２Ｂを合わせてリベット２を挿通させて、両者を結合する。リベット２の代わりに、結合具としてボルト、ナットを用いてもよい。
【００６７】
こうして、スライド片３０は、取付部材１０に対して長孔３２Ｂを介してスライド移動できるように取付部材１０に結合される。
【００６８】
なお、これら２部材を結合する前にスライド片３０に抱持部材４０を連結させておいてもよいし、２部材を結合した後に抱持部材４０を連結させてもよい。また、取付部材１０を壁などに固定させた状態でスライド片３０を結合させてもよいが、現場施工の前に、２部材を結合させておいてもよい。
【００６９】
図６（ａ）（ｂ）は、スライド片３０を取付部材１０に対して固定した状態の２例を示した模式縦断面図である。
【００７０】
図６（ａ）の例は、スライド片３０のつまみ部３５の開口部３６に形成した５つの凹部３７、３７・・・に対して、取付部材１０の延設片１４に形成した凸部１５、１５・・・のうち取付部１１側の３番目から７番目までの５つの凸部１５、１５・・・が嵌合した状態を示したものあり、図６（ｂ）の例は、開口部３６の５つの凹部３７、３７・・・のうちの右側の４つの凹部３７、３７・・・に対して、取付部１１側の６番目から９番目の４つの凸部１５、１５・・・が嵌合した状態を示したものである。
【００７１】
つまり、スライド片のつまみ部３５の開口部３６には、最も多い場合には、取付部材１０の取付部１１側のｎ番目から（ｎ＋４）番目までの凸部１５、１５・・・が嵌合する。
【００７２】
本実施形態の図例によれば、取付部材１０の挿通孔１３Ｂの位置と寸法、凸部１５の位置と数、スライド片３０の長孔３２Ｂの位置、凹部３７の位置と数の関係から、スライド片３０を最も長くしたときには、左側の２つの凸部１５、１５と、右側の２つの凹部３７、３７とが嵌合するようになっている。これには限らず１組の凸部１５と凹部３７とが嵌合する構成であればよいが、スライド片３０を強固に取り付けるために複数組の凸部１５、１５・・・と凹部３７、３７・・・とが嵌合する構成とすることが望ましい。
【００７３】
また、５組の凸部１５、１５・・・と凹部３７、３７・・・とが嵌合した状態では、ｎ−１、ｎ番目の凸部間、ｎ、ｎ＋１番目の凸部間、ｎ＋１、ｎ＋２番目の凸部間、ｎ＋２、ｎ＋３番目の凸部間、ｎ＋３、ｎ＋４番目の凸部間、およびｎ＋４、ｎ＋５番目の凸部間の各凸部間部位１６は、つまみ部３５の壁側（図６における右側）のアーム部３５ｂ、４つの仕切り部３５ａ、３５ａ・・・、竪樋側（図６における左側）のアーム部３５ｂの各々の外面に接触する（図６（ａ）参照）。なお、図６（ｂ）の図例では、左側の凹部３７および左側のアーム部３５ｂが開放された状態にある。
【００７４】
また、本実施形態の例では、凸部１５、１５・・・を有した凹凸部と、凹部３７、３７・・・を有した凹凸部とが相互に凹凸嵌合する構造であるため、取付部材１０とつまみ部３５とのさらに強固な固定を実現することができる。
【００７５】
このように、この竪樋支持具１は、つまみ部３５に形成された凹部３７を取付部材１０の適宜な凸部１５と嵌合させることで、スライド片３０の突出度合いを異ならせることができるようになっている。
【００７６】
このようにスライド片３０を種々の突出度合いにするための進退調節は、図７（ａ）（ｂ）に示すように、つまみ部３５の操作によってなされる。
【００７７】
図７（ａ）は、凸部１５と凹部３７とが嵌合してスライド片３０が固定された状態を示した縦断面図であり、この状態でつまみ部３５、３５をつまんで矢印方向につまみ部３５、３５を弾性変形させると、凸部１５と凹部３７の嵌合が解除され、図７（ｂ）の状態となる。この状態で、つまみ部３５、３５をつまんだままスライド片３０をスライド片３０の長孔３２Ｂに沿ってスライド移動させ、所望の位置で手指を離してつまみ部３５を元の状態に復帰させると、凹部３７が凸部１５に嵌合してスライドできない状態となる。
【００７８】
このように、本実施形態に係る竪樋支持具１によれば、第１の実施形態と同様、つまみ部３５、３５をつまみ操作するだけで、スライド片３０の進退調節を行うことができる。つまみ部３５、３５を片手でワンタッチ操作するだけでスライド調節できる構成であるため、進退調節を簡易かつ迅速に行うことができる。
【００７９】
なお、他の効果についても、第１の実施形態と同様であり、その説明については割愛する。
【符号の説明】
【００８０】
１      竪樋支持具
２      リベット（結合具）
３      下方空間
１０      取付部材
１１      取付部
１１ａ      取付孔
１２      本体部
１３Ａ      長孔（挿通孔）
１３Ｂ      挿通孔
１４      延設片
１５      凸部
１６      凸部間部位
３０      スライド片
３１      スライド本体
３２Ａ      挿通孔
３２Ｂ      長孔（挿通孔）
３３      支持具取付部
３４      取付孔
３５      つまみ部
３５ａ      仕切り部
３５ｂ      アーム部
３６      開口部
３７      凹部
３８      リブ部
４０      抱持部材
４１      竪樋
【図１】
0005798860.tif 000002
【図２】
0005798860.tif 000003
【図３】
0005798860.tif 000004
【図４】
0005798860.tif 000005
【図５】
0005798860.tif 000006
【図６】
0005798860.tif 000007
【図７】
0005798860.tif 000008
【図８】
0005798860.tif 000009